(57)【要約】      （修正有）【課題】タッチ操作の検出感度を向上させるパターン層を有するタッチパネルを提供する。【解決手段】タッチパネルは、押圧後それぞれが特定の機能を起動する複数のセンサー領域の位置を指定するパターン層１１であって、下部基板１０の上面又は底面に取り付けられたパターン層を有する。前記基板及び該基板に取り付けられたセンサーユニットＡは、全てが透明で、前記パターン層は前記タッチパネルの上面から見たとき、見ることができる。前記パターン層の前記位置が指で押圧されたとき、前記パターン層は指と前記センサーユニットとの間で妨げにならないので、前記パターン層を押圧する感度を向上させることができる。【選択図】図１
0003165470.tif 000002
【実用新案登録請求の範囲】
【請求項１】
透明な基板であって、該基板の面の少なくとも１つの側部に取り付けられた少なくとも１つのパターン層と、前記基板に取り付けられ、前記パターン層と重なり合う透明なセンサーユニットとを有する基板を含む、タッチパネル。
【請求項２】
前記基板は、上面と、底面と、前記上面に取り付けられた少なくとも１つの前記パターン層とを有する、請求項１に記載のタッチパネル。
【請求項３】
前記基板は、上面と、底面と、該底面に取り付けられた少なくとも１つの前記パターン層とを有する、請求項１に記載のタッチパネル。
【請求項４】
前記センサーユニットに取り付けられた天板を含み、
前記天板は、上面と、底面と、前記天板の前記上面に取り付けられたインク層とを有し、
各パターン層に対応する前記インク層の一部分はくり抜かれている、請求項１ないし３のいずれか１項に記載のタッチパネル。
【請求項５】
前記センサーユニットに取り付けられた天板を含み、
前記天板は、上面と、底面と、前記天板の前記底面に取り付けられたインク層とを有し、
各パターン層に対応する前記インク層の一部分はくり抜かれている、請求項１ないし３のいずれか１項に記載のタッチパネル。
【請求項６】
前記センサーユニットは長方形の導電層で、
前記基板は、４つのワイヤを有し、
各ワイヤの一端部は、前記センサーユニットの角部の１つに接続されている、請求項２又は３に記載のタッチパネル。
【請求項７】
前記センサーユニットは、第１の方向に平行に整列した複数の第１の導電層と、前記基板の上面の前記第１の導電層によって設けられた空白の場所に形成された複数の第２の導電層であって前記第１の方向と垂直な第２の方向に平行に整列している第２の導電層とを有し、
各第１の導電層は、連続的に結合された複数の第１のセンサー領域と、前記第１の導電層の第１のセンサー領域の最外部の縁部に前記第１の方向に形成された第１のポートと、前記基板の上面に形成された複数の第１のワイヤとを有し、
前記第１のワイヤの数は、前記第１の導電層の前記第１のポートの数に対応し、
各第１のワイヤの一端部は、前記第１のポートの１つに接続され、
各第２の導電層は、連続的に結合された複数の第２のセンサー領域と、前記第２の導電層の第２のセンサー領域の最外部の縁部に前記第２の方向に形成された第２のポートと、前記基板の上面に形成された複数の第２のワイヤとを有し、
前記第２のワイヤの数は、前記第２の導電層の前記第２のポートの数に対応し、
各第２のワイヤの一端部は、前記第２のポートの１つに接続されている、請求項２又は３に記載のタッチパネル。
【請求項８】
透明な下部基板と、透明な上部基板とを含み、
前記下部基板は、該下部基板の面の少なくとも１つの側部に形成された少なくとも１つのパターン層と、前記下部基板の前記面に取り付けられた透明な下部センサーユニットと、前記下部基板の上面に形成され、上面を有する分離層とを有し、
前記上部基板は、前記分離層の前記上面に形成され、底面と、前記上部基板の前記底面に形成された透明な上部センサーユニットとを有し、
前記上部センサーユニット及び前記下部センサーユニットの少なくとも１つは、前記パターン層を覆っている、タッチパネル。
【請求項９】
前記下部基板は、上面と、底面と、該上面に取り付けられた少なくとも１つの前記パターン層とを有する、請求項８に記載のタッチパネル。
【請求項１０】
前記下部基板は、上面と、底面と、該底面に取り付けられた少なくとも１つの前記パターン層とを有する、請求項８に記載のタッチパネル。
【請求項１１】
前記上部基板は、該上部基板と前記上部センサーユニットとの間に取り付けられたインク層を有し、該インク層は、前記下部基板の前記パターン層が取り付けられていない部分に対応する、請求項８ないし１０のいずれか１項に記載のタッチパネル。
【請求項１２】
前記上部基板は、該上部基板の上面に取り付けられたインク層を有し、該インク層は、前記下部基板の前記パターン層が取り付けられていない部分に対応する、請求項８ないし１０のいずれか１項に記載のタッチパネル。
【請求項１３】
前記下部センサーユニットは、第１の方向に平行に整列した複数の下部導電層を有し、
各下部導電層は、連続的に結合された複数の下部センサー領域と、前記下部導電層の下部センサー領域の最外部の縁部に第１の方向に形成された下部ポートと、前記下部基板の前記上面に形成された複数の下部ワイヤとを有し、
前記下部ワイヤの数は、前記下部導電層の前記下部ポートの数に対応し、
各下部ワイヤの一端部は、前記下部ポートの１つに接続され、
前記分離層は、透明で、絶縁用接着剤で作られており、
前記上部センサーユニットは、前記下部基板の前記上面の前記下部導電層によって設けられた空白の場所に形成され、前記第１の方向と垂直な第２の方向に平行に整列した複数の上部導電層を有し、
各上部導電層は、連続的に結合された複数の上部センサー領域と、前記上部導電層の上部センサー領域の最外部の縁部に前記第２の方向に形成された上部ポートと、前記上部基板の前記底面に形成された複数の上部ワイヤとを有し、
前記上部ワイヤの数は、前記上部導電層の前記上部ポートの数に対応し、
各上部ワイヤの一端部は、前記上部ポートの１つに接続されている、請求項９又は１０に記載のタッチパネル。
【請求項１４】
前記下部センサーユニットは、並列に配置された複数の下部導電層を有し、
前記下部導電層は、長方形で、第１の方向に整列し、
各下部導電層は、前記第１の方向と垂直な前記下部導電層の一側に形成された下部ポートと、前記下部基板の前記上面に形成された複数の下部ワイヤとを有し、
前記下部ワイヤの数は、前記下部ポートの数に対応し、
各下部ワイヤの一端部は、前記下部ポートの１つに接続され、
前記分離層は、透明で、絶縁用接着剤で作られており、
前記上部センサーユニットは、並列に配置された複数の上部導電層を有し、
前記上部導電層は、長方形で、前記第１の方向と垂直な第２の方向に整列し、
マトリクスの縦列及び横列の形状で前記下部導電層と交差し、
各上部導電層は、前記第２の方向と垂直な前記上部導電層の一側に形成された上部ポートと、前記上部基板の前記底面に形成された複数の上部ワイヤとを有し、
前記上部ワイヤの数は、前記上部ポートの数に対応し、
各上部ワイヤの一端部は、前記上部ポートの１つに接続されている、請求項９又は１０に記載のタッチパネル。
【請求項１５】
前記下部センサーユニットは、下部導電層を有し、
前記下部導電層は、該下部導電層に取り付けられた少なくとも１つの下部ワイヤを有し、
前記上部センサーユニットは、上部導電層を有し、
前記上部導電層は、該上部導電層に取り付けられた少なくとも１つの上部ワイヤを有し、
前記分離層は、枠状の絶縁層であって前記下部ワイヤ及び前記上部ワイヤを覆っているが、前記パターン層を覆っていない絶縁層と、該絶縁層の内側に取り付けられたスペーサー層とを有する、請求項９又は１０に記載のタッチパネル。
【考案の詳細な説明】
【技術分野】
【０００１】
本考案は、タッチパネルに関し、特に押圧後それぞれが特定の機能を起動する複数のセンサー領域の位置を指定するパターン層であって、前記センサー領域と押圧物との間の障害を取り除き、タッチ操作の検出感度を向上させるように下部基板の上面又は底面に取り付けられたパターン層を有するタッチパネルに関する。
【背景技術】
【０００２】
タッチパネルは、様々な技術理論に基づいて数種類に分類することができる。そのうち、電圧又は静電容量の変化を感知する導電フィルムを使用する１種類が普及している。図９を参照するに、従来の単一基板表面型静電容量タッチパネルは、基板６０と、上部層７０とを有する。基板６０は、上部層７０の下に取り付けられた導電層６１を有し、該導電層は、インジウムスズ化合物（ＩＴＯ）からなる。上部層７０のタッチ領域上の点が指によって触れられたとき、静電容量の変化が、指が触れた点に対応する絶縁層６１の場所において発生する。前記変化の信号は、前記触れた点の座標を計算するために導電層６１に接続されたワイヤ（図示せず）を通してコントローラーに出力される。
【０００３】
図１０を参照するに、インク層７１及びパターン層７２は、上部層７０の底に印刷されている。インク層７１及びパターン層７２によって占められていない領域は、タッチ領域である。インク層７１は、不透明のワイヤを覆う役目を果たし、パターン層７２は、導電層６１の特定の位置を示す役目を果たす。各特定の位置が触れられたとき、前記コントローラーは、前記特定の位置を取得するようにコンピュータで計算し、特定の機能を実行するように他の要素に対応する指令を出力する。
【０００４】
しかし、従来技術で作られたタッチパネルのパターン層７２は、導電層６１の上面に取り付けられ、前記種類のタッチパネルに触れたとき、指はパターン層７２を通して導電層６１と接触しなければならないことを意味する。その結果、指が上部層７０のパターン層７２に対応する位置に触れたとき生じる前記静電容量の変化は、指が上部層７０のタッチ領域に対応する位置に触れたとき生じる前記静電容量の変化より小さく、パターン層７２に対応する接触は感知しにくい。
【０００５】
また、パターン層７２及びインク層７１は、通常異なった色で印刷され、パターン層７２は、複数の特定の機能のそれぞれを起動することができる位置を表示する専用パターンを含む。カスタマイズの要望により、パターン層７２は、通常インク層７１の印刷の後、印刷され、インク層７１及びパターン層７２の印刷は、完了するまでに複数の印刷工程を必要とする。任意の印刷エラーの場合には、上部層７０全体が不完全であり、廃棄されなければならない。結果として、従来のタッチパネルの製造コストは、必然的に増大する。
【考案の概要】
【考案が解決しようとする課題】
【０００６】
本考案の目的は、押圧後それぞれが特定の機能を起動する複数のセンサー領域の位置を指定するパターン層であって、該センサー領域と押圧物との間の障害を取り除き、タッチ操作の検出感度を向上させるように下部基板の上面又は底面に取り付けられたパターン層を有するタッチパネルを提供することにある。
【課題を解決するための手段】
【０００７】
上記目的を達成するために、タッチパネルが単一基板であるとき、該タッチパネルは、基板と、少なくとも１つのパターン層と、センサーユニットとを有する。
【０００８】
前記基板は、透明で、上面と、底面とを有する。少なくとも１つの前記パターン層は、前記基板の面の少なくとも１つの側部に取り付けられている。前記センサーユニットは、透明で、前記基板の前記面に取り付けられ、前記パターン層と重なり合っている。
【０００９】
上記目的を達成するために、タッチパネルが二重基板であるとき、前記タッチパネルは、下部基板と、分離層と、上部基板とを有する。
【００１０】
前記下部基板は、透明で、上面と、底面と、少なくとも１つのパターン層と、下部センサーユニットとを有する。少なくとも１つの前記パターン層は、前記下部基板の面の少なくとも１つの側部に形成されている。前記下部センサーユニットは、透明で、前記下部基板の前記面に取り付けられている。
【００１１】
前記分離層は、前記下部基板の前記面に形成され、上面を有する。
【００１２】
前記上部基板は、透明で、前記分離層の上面に形成され、底面と、上部センサーユニットとを有する。前記上部センサーユニットは、透明で、前記上部基板の前記底面に形成されている。
【００１３】
前記上部センサーユニット及び前記下部センサーユニットの少なくとも１つは、前記パターン層を覆っている。
【００１４】
前記パターン層は前記センサーユニットの下の前記基板の上面又は底面に取り付けることができ、前記基板及び前記センサーユニットは全てが透明な材料から作られているので、前記パターン層は、タッチパネルの上面から見たとき、見ることができる。また、前記パターン層は、指が該パターン層に対応するタッチパネルのタッチ領域に触れたとき、指とセンサーユニットとの間で妨げにならない。したがって、触れることの感度を向上させる。前記パターン層及び前記インク層は、前記基板の異なる層に別々に配置されるので、前記パターン層の取り付けに関して位置ずれや不正確な色のような失敗を起こしたために前記インク層を再び取り付ける必要がなく、結果として生じる製造コストの損失を比較的軽くすることができる。
【００１５】
本発明の他の目的、利点及び新規の特徴は、添付の図面に関する以下の詳細な説明からより明らかになる。
【図面の簡単な説明】
【００１６】
【図１】本考案に係る単一基板表面型静電容量タッチパネルの分解斜視図。
【図２】基板の底面に取り付けられたパターン層を備える図１の表面型静電容量タッチパネルの部分側面図。
【図３】基板の上面に取り付けられたパターン層を備える図１の表面型静電容量タッチパネルの部分側面図。
【図４】本考案に係る単一基板投影型静電容量タッチパネルの分解斜視図。
【図５】本考案に係る二重基板表面型静電容量タッチパネルの分解斜視図。
【図６】本考案に係る二重基板投影型静電容量タッチパネルの分解斜視図。
【図７】本考案に係る二重基板マトリクス型静電容量タッチパネルの分解斜視図。
【図８】本考案に係る二重基板抵抗タッチパネルの分解斜視図。
【図９】従来の表面型静電容量タッチパネルの部分側面図。
【図１０】図９の表面型静電容量タッチパネルの上面図。
【考案を実施するための形態】
【００１７】
本考案は、基板の上面及び底面の少なくとも１つに取り付けられたパターン層を備える。本考案は、以下の実施例で示される単一基板静電容量タッチパネル、単一基板投影型静電容量タッチパネル及び二重基板投影型静電容量タッチパネルのような異なった技術で開発されたタッチパネルに適用することができる。
【００１８】
図１を参照するに、本考案に係る単一基板表面型静電容量タッチパネルは、基板１０と、天板２０とを有する。基板１０は、透明で、少なくとも１つのパターン層１１と、センサーユニット（Ａ）と、４つのワイヤ１２とを有する。図２を参照するに、パターン層１１は、基板１０の底面の一側部に取り付けられている。図３を参照するに、パターン層１１は、基板１０の上面の一側部に取り付けられている。センサーユニット（Ａ）は、透明で、基板１０の上面に取り付けられ、パターン層１１と重なり合っている。図２及び図３において、センサーユニット（Ａ）は、長方形の導電層１３で、ＩＴＯからなる。各ワイヤ１２の一端部は導電層１３の角部の１つに接続され、他端部は基板１０の角部の１つに向かって伸びている。
【００１９】
天板２０は、センサーユニット（Ａ）上に取り付けられ、インク層２１を有する。インク層２１は、不透明で、天板２０の上面又は底面のいずれか一方に取り付けられ、ワイヤ１２を対応して覆っている。本実施例では、前記インク層は枠状で、天板２０の底面に取り付けられている。その上、各パターン層１１に対応するインク層２１の一部は、くり抜かれている。
【００２０】
図４を参照するに、本考案に係る単一基板投影型静電容量タッチパネルが示されている。本実施例の基板１０′、パターン層１１′、天板２０′及びインク層２１′は、センサーユニット（A）が前記表面型静電容量タッチパネルと異なることを除いて、前記表面型静電容量タッチパネルの前記基板、前記パターン層、前記天板及び前記インク層と共通である。本実施例において、センサーユニット（A）は、複数の第１の導電層１４と、複数の第２の導電層１５とを有し、前記第１の導電層と前記第２の導電層とは、互いに斜めに整列している。第１の導電層１４は、第１の方向に平行に整列している。各第１の導電層１４は、複数の第１のセンサー領域１４１と、第１のポート１４２とを有する。第１のセンサー領域１４１は、連続的に結合され、ＩＴＯからなる。各第１の導電層１４の第１のポート１４２は、前記第１の導電層の第１のセンサー領域の最外部の縁部に第１の方向に形成され、導電素材からなる。第２の導電層１５は、第１の導電層１４によって設けられた空白の場所に形成され、前記第１の方向に垂直な第２の方向に平行に整列している。各第２の導電層１５は、複数の第２のセンサー領域１５１と、第２のポート１５２とを有する。第２のセンサー領域１５１は、連続的に結合され、ＩＴＯからなる。各第２の導電層１５の第２のポート１５２は、前記第２の導電層の第２のセンサー領域１５１の最外部の縁部に前記第２の方向に形成され、導電素材からなる。基板１０′は、さらに複数のワイヤ１２′を有する。ワイヤ１２′は、基板１０′の上面に形成されている。ワイヤ１２′の数は、第１の導電層１４及び第２の導電層１５の第１のポート１４２及び第２のポート１５２の数に対応する。各ワイヤ１２′の一端部は、第１のポート１４２及び第２のポート１５２の１つに接続されている。
【００２１】
図５を参照するに、二重基板タッチパネルは、抵抗タッチパネル、投影型静電容量タッチパネル又はマトリクス静電容量タッチパネルに関係なく、下部基板３０と、分離層４０と、上部基板５０とを有する。
【００２２】
下部基板３０は、透明で、少なくとも１つのパターン層３１と、下部センサーユニット（Ａ１）とを有する。少なくとも１つのパターン層３１は、下部基板３０の上面又は底面の側部に形成されている。図５において、パターン層３１は、下部基板３０の前記底面に取り付けられている。下部センサーユニット（Ａ１）は、透明で、下部基板３０の上面に取り付けられている。分離層４０は、下部基板３０の上面に形成されている。上部基板５０は、透明で、分離層４０の上面に形成され、上部センサーユニット（Ａ２）と、インク層５１とを有する。上部センサーユニット（Ａ２）又は下部センサーユニット（Ａ１）は、透明で、上部基板５０の底面に形成され、パターン層３１を覆っている。インク層５１は、上部基板５０の上面又は上部基板５０と上部センサーユニット（Ａ２）との間に取り付けられている。図５において、インク層５１は、上部基板５０の上面に取り付けられ、下部基板３０のパターン層３１が取り付けられていない部分に対応する。
【００２３】
抵抗タッチパネル、投影型静電容量タッチパネル及びマトリクス静電容量タッチパネルの違いは、上部センサーユニット（Ａ２）、下部センサーユニット（Ａ１）及び分離層４０にある。
【００２４】
図６を参照するに、本考案に係る二重基板投影型静電容量タッチパネルが示されている。
【００２５】
下部センサーユニット（Ａ１）は、第１の方向に平行に整列した複数の下部導電層３２を有する。各下部導電層３２は、複数のセンサー領域３２１と、下部ポート３２２とを有する。センサー領域３２１は、連続的に結合され、ＩＴＯからなる。各下部導電層３２の下部ポート３２２は、前記下部導電層のセンサー領域３２１の最外部の縁部に第１の方向に形成され、導電素材からなる。上部センサーユニット（Ａ１）は、下部基板３０の上面の下部導電層３２によって設けられた空白の場所に形成され、前記第１の方向に垂直な第２の方向に平行に整列している複数の上部導電層５２を有する。各上部導電層５２は、複数のセンサー領域５２１と、上部ポート５２２とを有する。センサー領域５２１は、連続的に結合され、ＩＴＯからなる。各上部導電層５２の上部ポート５５２は、前記上部導電層のセンサー領域５２１の最外部の縁部に第２の方向に形成され、導電素材からなる。
【００２６】
下部基板３０は、さらに複数の下部ワイヤ３３を有する。下部ワイヤ３３は、下部基板３０の上面に形成されている。下部ワイヤ３３の数は、下部導電層３２の下部ポート３２２の数に対応する。各下部ワイヤ３３の一端部は、下部ポート３２２の１つに接続されている。
【００２７】
上部基板５０は、さらに複数の上部ワイヤ５３を有する。上部ワイヤ５３は、上部基板５０の底面に形成されている。上部ワイヤ５３の数は、上部導電層５２の上部ポート５２２の数に対応する。上部ワイヤ５３の一端部は、上部ポート５２２の１つに接続されている。
【００２８】
図７を参照するに、本考案に係る二重基板マトリクス静電容量タッチパネルが示されている。
【００２９】
下部センサーユニット（Ａ１）は、さらに複数の並列に配置された下部導電層３２′を有する。下部導電層３２′は、長方形で、第１の方向に整列し、ＩＴＯからなる。各下部導電層３２′は、下部ポート３２２′を有する。下部ポート３２２′は、前記第１の方向に垂直な対応する下部導電層３２′の一側に形成され、導電素材からなる。分離層４０は、上部基板５０と下部基板３０との間に取り付けられ、透明で、絶縁用接着剤で作られている。
【００３０】
上部センサーユニット（Ａ２）は、さらに複数の並列に配置された上部導電層５２′を有する。上部導電層５２′は、長方形で、前記第１の方向に垂直な第２の方向に整列し、ＩＴＯからなる。上部導電層５２′は、マトリクスの縦列及び横列の形状で下部導電層３２′と交差する。各上部導電層５２′は、上部ポート５２２′を有する。上部ポート５２２′は、前記第２の方向に垂直な対応する上部導電層５２′の一側に形成され、導電素材からなる。
【００３１】
下部基板３０は、さらに複数の下部ワイヤ３３′を有する。下部ワイヤ３３′は、下部基板３０の上面に形成されている。下部ワイヤ３３′の数は、下部ポート３２２′の数に対応する。各下部ワイヤ３３′の一端部は、下部ポート３２２′の１つに接続されている。
【００３２】
上部基板５０は、さらに複数の上部ワイヤ５３′を有する。上部基板５３′は、上部基板５０の底面に形成されている。上部ワイヤ５３′の数は、上部ポート５２２′の数に対応する。各上部ワイヤ５３′の一端部は、上部ポート５２２′の１つに接続されている。
【００３３】
図８を参照するに、本考案に係る二重基板抵抗タッチパネルが示されている。
【００３４】
下部センサーユニット（Ａ１）は、ＩＴＯからなる下部導電層３２″を有する。下部導電層３２″は、該下部導電層に取り付けられた少なくとも１つの下部ワイヤ３３″を有する。図８において、前記二重基板抵抗タッチパネルは、５つのワイヤの抵抗タッチパネルで、４つの下部ワイヤ３３″は、下部導電層３２″の上面に取り付けられている。
【００３５】
上部センサーユニット（Ａ２）は、ＩＴＯからなる上部導電層５２″を有する。上部導電層５２″は、該上部導電層に取り付けられた少なくとも１つの上部ワイヤ５３″を有する。図８において、１つの上部ワイヤ５３″は、上部導電層５２″の底面に取り付けられている。
【００３６】
前記分離層は、絶縁層４１″と、スペーサー層４２とを有する。絶縁層４１″は、枠状で、下部ワイヤ３３″及び上部ワイヤ３３″を覆っているが、パターン層３１は覆っていない。スペーサー層４２は、絶縁層４１″の内側に取り付けられている。
【００３７】
前記した実施例から、パターン層３１は、基板１０又は下部基板３０の上面又は底面の側部に取り付けられている。基板１０、下部基板３０、上部基板５０、センサーユニット（Ａ）、下部センサーユニット（Ａ１）及び上部センサーユニット（Ａ２）は、透明な材料で作られているので、パターン層３１は、タッチパネルの上面から見るとき、見ることができる。タッチパネルが指で押圧されたとき、前記パターン層は、指とセンサーユニット（Ａ）又は上部センサーユニット（Ａ１）との間に存在していない。したがって、従来のタッチパネルのパターン層の存在の感度問題は、解決される。また、パターン層３１及びインク層５１のそれぞれは、前記基板の異なる層に取り付けられているため、前記パターン層が意図した位置から離れている又は間違った色で印刷されているとしても前記インク層を取り替える必要はなく、結果として生ずるコスト損失を減らすことができる。
【００３８】
本考案の様々な特徴や利点を詳細な構造や機能とともに上記にて説明してきたが、開示は一例にすぎない。変更すること、特に形状や大きさ、部品の配置を変更することは、請求項が表現する言葉の広い解釈により定められる範囲を超えない限り可能である。
【符号の説明】
【００３９】
１０、１０′、６０  基板
１１、１１′、３１、７２  パターン層
１２、１２′  ワイヤ
１３、６１  導電層
１４  第１の導電層
１５  第２の導電層
２０、２０′  天板
２１、２１′、５１、７１  インク層
３０  下部基板
３２、３２′、３２″  下部導電層
３３、３３′、３３″  下部ワイヤ
４０  分離層
４１″  絶縁層
４２  スペーサー層
５０  上部基板
５２、５２′、５２″  上部導電層
５３、５３′、５３″  上部ワイヤ
７０  上部層
１４１  第１のセンサー領域
１４２  第１のポート
１５１  第２のセンサー領域
１５２  第２のポート
３２１  センサー領域
３２２、３２２′  下部ポート
５２１  センサー領域
５２２、５２２′  上部ポート
Ａ  センサーユニット
Ａ１  下部センサーユニット
Ａ２  上部センサーユニット
【図１】
0003165470.tif 000003
【図２】
0003165470.tif 000004
【図３】
0003165470.tif 000005
【図４】
0003165470.tif 000006
【図５】
0003165470.tif 000007
【図６】
0003165470.tif 000008
【図７】
0003165470.tif 000009
【図８】
0003165470.tif 000010
【図９】
0003165470.tif 000011
【図１０】
0003165470.tif 000012
【手続補正書】
【提出日】平成22年11月24日(2010.11.24)
【手続補正１】
【補正対象書類名】実用新案登録請求の範囲
【補正対象項目名】全文
【補正方法】変更
【補正の内容】
【実用新案登録請求の範囲】
【請求項１】
透明な基板であって、該基板の面の少なくとも１つの側部に取り付けられた少なくとも１つのパターン層と、前記基板に取り付けられ、前記パターン層と重なり合う透明なセンサーユニットとを有する基板を含む、タッチパネル。
【請求項２】
前記基板は、上面と、底面と、前記上面に取り付けられた少なくとも１つの前記パターン層とを有する、請求項１に記載のタッチパネル。
【請求項３】
前記基板は、上面と、底面と、該底面に取り付けられた少なくとも１つの前記パターン層とを有する、請求項１に記載のタッチパネル。
【請求項４】
前記センサーユニットに取り付けられた天板を含み、
前記天板は、上面と、底面と、前記天板の前記上面に取り付けられたインク層とを有し、
各パターン層に対応する前記インク層の一部分はくり抜かれている、請求項１ないし３のいずれか１項に記載のタッチパネル。
【請求項５】
前記センサーユニットに取り付けられた天板を含み、
前記天板は、上面と、底面と、前記天板の前記底面に取り付けられたインク層とを有し、
各パターン層に対応する前記インク層の一部分はくり抜かれている、請求項１ないし３のいずれか１項に記載のタッチパネル。
【請求項６】
前記センサーユニットは長方形の導電層で、
前記基板は、４つのワイヤを有し、
各ワイヤの一端部は、前記センサーユニットの角部の１つに接続されている、請求項２又は３に記載のタッチパネル。
【請求項７】
前記センサーユニットは、第１の方向に平行に整列した複数の第１の導電層と、前記基板の上面の前記第１の導電層によって設けられた空白の場所に形成された複数の第２の導電層であって前記第１の方向と垂直な第２の方向に平行に整列している第２の導電層とを有し、
各第１の導電層は、連続的に結合された複数の第１のセンサー領域と、前記第１の導電層の第１のセンサー領域の最外部の縁部に前記第１の方向に形成された第１のポートと、前記基板の上面に形成された複数の第１のワイヤとを有し、
前記第１のワイヤの数は、前記第１の導電層の前記第１のポートの数に対応し、
各第１のワイヤの一端部は、前記第１のポートの１つに接続され、
各第２の導電層は、連続的に結合された複数の第２のセンサー領域と、前記第２の導電層の第２のセンサー領域の最外部の縁部に前記第２の方向に形成された第２のポートと、前記基板の上面に形成された複数の第２のワイヤとを有し、
前記第２のワイヤの数は、前記第２の導電層の前記第２のポートの数に対応し、
各第２のワイヤの一端部は、前記第２のポートの１つに接続されている、請求項２又は３に記載のタッチパネル。
【請求項８】
透明な下部基板と、透明な上部基板とを含み、
前記下部基板は、該下部基板の面の少なくとも１つの側部に形成された少なくとも１つのパターン層と、前記下部基板の前記面に取り付けられた透明な下部センサーユニットと、前記下部基板の上面に形成され、上面を有する分離層とを有し、
前記上部基板は、前記分離層の前記上面に形成され、底面と、前記上部基板の前記底面に形成された透明な上部センサーユニットとを有し、
前記上部センサーユニット及び前記下部センサーユニットの少なくとも１つは、前記パターン層を覆っている、タッチパネル。
【請求項９】
前記下部基板は、上面と、底面と、該上面に取り付けられた少なくとも１つの前記パターン層とを有する、請求項８に記載のタッチパネル。
【請求項１０】
前記下部基板は、上面と、底面と、該底面に取り付けられた少なくとも１つの前記パターン層とを有する、請求項８に記載のタッチパネル。
【請求項１１】
前記上部基板は、該上部基板と前記上部センサーユニットとの間に取り付けられたインク層を有し、該インク層は、前記下部基板のパターン層が取り付けられていない部分に対応する、請求項８ないし１０のいずれか１項に記載のタッチパネル。
【請求項１２】
前記上部基板は、該上部基板の上面に取り付けられたインク層を有し、該インク層は、前記下部基板のパターン層が取り付けられていない部分に対応する、請求項８ないし１０のいずれか１項に記載のタッチパネル。
【請求項１３】
前記下部センサーユニットは、第１の方向に平行に整列した複数の下部導電層を有し、
各下部導電層は、連続的に結合された複数の下部センサー領域と、前記下部導電層の下部センサー領域の最外部の縁部に第１の方向に形成された下部ポートと、前記下部基板の前記上面に形成された複数の下部ワイヤとを有し、
前記下部ワイヤの数は、前記下部導電層の前記下部ポートの数に対応し、
各下部ワイヤの一端部は、前記下部ポートの１つに接続され、
前記分離層は、透明で、絶縁用接着剤で作られており、
前記上部センサーユニットは、前記下部基板の前記上面の前記下部導電層によって設けられた空白の場所に形成され、前記第１の方向と垂直な第２の方向に平行に整列した複数の上部導電層を有し、
各上部導電層は、連続的に結合された複数の上部センサー領域と、前記上部導電層の上部センサー領域の最外部の縁部に前記第２の方向に形成された上部ポートと、前記上部基板の前記底面に形成された複数の上部ワイヤとを有し、
前記上部ワイヤの数は、前記上部導電層の前記上部ポートの数に対応し、
各上部ワイヤの一端部は、前記上部ポートの１つに接続されている、請求項９又は１０に記載のタッチパネル。
【請求項１４】
前記下部センサーユニットは、並列に配置された複数の下部導電層を有し、
前記下部導電層は、長方形で、第１の方向に整列し、
各下部導電層は、前記第１の方向と垂直な前記下部導電層の一側に形成された下部ポートと、前記下部基板の前記上面に形成された複数の下部ワイヤとを有し、
前記下部ワイヤの数は、前記下部ポートの数に対応し、
各下部ワイヤの一端部は、前記下部ポートの１つに接続され、
前記分離層は、透明で、絶縁用接着剤で作られており、
前記上部センサーユニットは、並列に配置された複数の上部導電層を有し、
前記上部導電層は、長方形で、前記第１の方向と垂直な第２の方向に整列し、
マトリクスの縦列及び横列の形状で前記下部導電層と交差し、
各上部導電層は、前記第２の方向と垂直な前記上部導電層の一側に形成された上部ポートと、前記上部基板の前記底面に形成された複数の上部ワイヤとを有し、
前記上部ワイヤの数は、前記上部ポートの数に対応し、
各上部ワイヤの一端部は、前記上部ポートの１つに接続されている、請求項９又は１０に記載のタッチパネル。
【請求項１５】
前記下部センサーユニットは、下部導電層を有し、
前記下部導電層は、該下部導電層に取り付けられた少なくとも１つの下部ワイヤを有し、
前記上部センサーユニットは、上部導電層を有し、
前記上部導電層は、該上部導電層に取り付けられた少なくとも１つの上部ワイヤを有し、
前記分離層は、枠状の絶縁層であって前記下部ワイヤ及び前記上部ワイヤを覆っているが、前記パターン層を覆っていない絶縁層と、該絶縁層の内側に取り付けられたスペーサー層とを有する、請求項９又は１０に記載のタッチパネル。
【手続補正２】
【補正対象書類名】明細書
【補正対象項目名】００２２
【補正方法】変更
【補正の内容】
【００２２】
下部基板３０は、透明で、少なくとも１つのパターン層３１と、下部センサーユニット（Ａ１）とを有する。少なくとも１つのパターン層３１は、下部基板３０の上面又は底面の側部に形成されている。図５において、パターン層３１は、下部基板３０の前記底面に取り付けられている。下部センサーユニット（Ａ１）は、透明で、下部基板３０の上面に取り付けられている。分離層４０は、下部基板３０の上面に形成されている。上部基板５０は、透明で、分離層４０の上面に形成され、上部センサーユニット（Ａ２）と、インク層５１とを有する。上部センサーユニット（Ａ２）は、透明で、上部基板５０の底面に形成され、パターン層３１を覆っている。インク層５１は、上部基板５０の上面又は上部基板５０と上部センサーユニット（Ａ２）との間に取り付けられている。図５において、インク層５１は、上部基板５０の上面に取り付けられ、下部基板３０のパターン層３１が取り付けられていない部分に対応する。
【手続補正３】
【補正対象書類名】明細書
【補正対象項目名】００２５
【補正方法】変更
【補正の内容】
【００２５】
下部センサーユニット（Ａ１）は、第１の方向に平行に整列した複数の下部導電層３２を有する。各下部導電層３２は、複数のセンサー領域３２１と、下部ポート３２２とを有する。センサー領域３２１は、連続的に結合され、ＩＴＯからなる。各下部導電層３２の下部ポート３２２は、前記下部導電層のセンサー領域３２１の最外部の縁部に第１の方向に形成され、導電素材からなる。上部センサーユニット（Ａ２）は、下部基板３０の上面の下部導電層３２によって設けられた空白の場所に形成され、前記第１の方向に垂直な第２の方向に平行に整列している複数の上部導電層５２を有する。各上部導電層５２は、複数のセンサー領域５２１と、上部ポート５２２とを有する。センサー領域５２１は、連続的に結合され、ＩＴＯからなる。各上部導電層５２の上部ポート５５２は、前記上部導電層のセンサー領域５２１の最外部の縁部に第２の方向に形成され、導電素材からなる。